(57)【要約】  本発明は放射線治療装置に関するものであり、それは医療装置の技術分野に属する。放射線治療装置は放射線治療部と画像形成装置を含み、放射線治療部は患者の治療待機区域に治療用放射線ビームを放射することに用いられ、患者の治療待機区域は放射線治療部の外側に位置し、画像形成装置は放射線治療部に隣接するように設けられ、かつ患者の治療待機区域に画像形成ビームを放射することに用いられる。本発明は、患者の治療待機区域の位置を移動させる必要がなく、放射線治療部は作成された治療方法により患者の治療待機区域に治療用放射線ビームを放射することにより放射線治療をすることができるので、放射線治療の効果を有効に向上させることができる。【選択図】図１
2021533970.tif 000002
【特許請求の範囲】
【請求項１】
放射線治療部と画像形成装置を含み、前記放射線治療部は患者の治療待機区域に治療用放射線ビームを放射することに用いられ、前記患者の治療待機区域は前記放射線治療部の外側に位置し、前記画像形成装置は前記放射線治療部に隣接するように設けられ、かつ前記患者の治療待機区域に画像形成ビームを放射することに用いられる、放射線治療装置。
【請求項２】
前記放射線治療部は第一放射線治療部と第二放射線治療部を含み、前記画像形成装置は前記第一放射線治療部と前記第二放射線治療部との間に位置する、請求項１に記載の放射線治療装置。
【請求項３】
前記放射線治療部は放射源を含み、前記放射源が放射する治療用放射線ビームは前記放射線治療部の外側に位置している交点に集束し、前記交点は前記画像形成装置の画像形成中央に重畳する、請求項１に記載の放射線治療装置。
【請求項４】
前記放射線治療装置は放射源回収部を更に含み、前記放射線治療部が作動しないとき、前記放射源を前記放射源回収部に送入して保存する、請求項３に記載の放射線治療装置。
【請求項５】
前記放射線治療部は、順番に配置される遮蔽体、放射源載置体およびコリメーターを含み、前記放射源は前記放射源載置体上に設けられ、前記放射源が放射する治療用放射線ビームは前記コリメーターを通過した後、交点に集束する、請求項３に記載の放射線治療装置。
【請求項６】
前記放射源載置体および／または前記コリメーターは所定の回転軸を回転軸として回転するか或いは予め設定の路線に沿って移動することができる、請求項５に記載の放射線治療装置。
【請求項７】
前記画像形成装置は前記放射源載置体または前記コリメーターの辺縁の端面に設けられる、請求項６に記載の放射線治療装置。
【請求項８】
前記放射線治療部の形状は茶碗のような形状または円筒状である、請求項５に記載の放射線治療装置。
【請求項９】
前記放射源は前記放射源載置体上に螺旋状態に均等に取り付けられるか或いは前記放射源載置体の円周方向に均等に取り付けられる、請求項５に記載の放射線治療装置。
【請求項１０】
前記画像形成装置は第一沈下防止部を更に含み、前記第一沈下防止部は前記遮蔽体と前記放射源載置体との間に設けられる、請求項５に記載の放射線治療装置。
【請求項１１】
前記画像形成装置は第二沈下防止部を更に含み、前記第二沈下防止部は前記放射源載置体と前記コリメーターとの間に設けられる、請求項１０に記載の放射線治療装置。
【請求項１２】
前記第一沈下防止部と前記第二沈下防止部はいずれもベアリングである、請求項１１に記載の放射線治療装置。
【請求項１３】
前記放射源は放射源装着部上に取り付けられ、前記放射源載置体は放射源装着部の装着孔を含み、前記放射源装着部は前記放射源装着部の装着孔内に取り付けられる、請求項５に記載の放射線治療装置。
【請求項１４】
前記遮蔽体は放射源装着部の遮蔽孔と放射源装着部の遮蔽部を含み、前記放射源装着部の遮蔽孔のサイズは前記放射源装着部の装着孔のサイズより大きか或いは等しく、前記放射源装着部の遮蔽部は前記放射源装着部の遮蔽孔にマッチングする、請求項１３に記載の放射線治療装置。
【請求項１５】
前記画像形成装置は投射部と画像形成部を含み、前記投射部が放射する画像形成ビームのビーム中心軸は基準軸から所定の距離離れており、前記基準軸は前記画像形成中央を通過し、かつ前記画像形成部に垂直である軸である、請求項３に記載の放射線治療装置。
【請求項１６】
前記画像形成装置は前記放射線治療部に隣接するように設けられる遮蔽部を含み、前記遮蔽部は交点を通過する治療用放射線ビームを遮蔽することに用いられる、請求項３に記載の放射線治療装置。
【請求項１７】
前記遮蔽部の形状は中空形またはシート状である、請求項１６に記載の放射線治療装置。
【請求項１８】
前記画像形成装置は、Ｘ線装置、ＣＴ装置、ＭＲＩ装置、ＰＥＴ装置、超音波装置およびＤＡＳ装置等のうち少なくとも一種である、請求項１に記載の放射線治療装置。
【請求項１９】
前記放射線治療装置は遮蔽ドアを更に含み、前記遮蔽ドアは前記放射線治療装置および／または前記放射線治療部が放射する治療用放射線ビームをオンまたはオフさせる、請求項１に記載の放射線治療装置。
【請求項２０】
前記放射線治療装置は治療用ベッドを更に含み、前記治療用ベッドは前記画像形成装置の一側に取り付けられる、請求項１に記載の放射線治療装置。
【発明の詳細な説明】
【技術分野】
【０００１】
（関連出願の相互参照）
本出願は、２０１８年８月２４日に出願し、出願番号が２０１８１０９７７４４７．２であり、発明の名称が「放射線治療装置」である中国特許出願の優先権を主張し、かつその中国特許出願の全文を本出願に組み込む。
【０００２】
（技術分野）
本出願は、医療装置の技術分野に属し、特に、放射線治療装置に関するものである。
【背景技術】
【０００３】
腫瘤の位置を放射線治療にマッチングさせる速度と精度を向上させるため、従来の放射線治療装置は通常、放射線治療部と画像形成装置を含む。それにより患者を画像形成装置が設けられる画像形成室から放射線治療部が設けられる治療室に移動させる必要がないので、患者の腫瘤に対して放射線治療をすることができる。
【０００４】
例えば、まず、放射線治療装置に設けられる治療用ベッドを移動させることにより患者を画像形成装置が設けられる個所に移動して腫瘤の画像を撮り、かつ獲得した画像中の腫瘤のサイズ、形状および周囲の組織等の状況により治療方法を作成する。次に、放射線治療装置に設けられる治療用ベッドを移動させることにより患者を放射線治療部に送入し、かつ治療用ベッドの位置を決めることにより腫瘤の位置を治療方法中の腫瘤の位置に重畳させた後、患者の腫瘤に対して放射線治療をすることができる。
【発明の概要】
【課題を解決するための手段】
【０００５】
本発明の実施例において放射線治療装置を提供する。前記放射線治療装置は放射線治療部と画像形成装置を含み、前記放射線治療部は患者の治療待機区域に治療用放射線ビームを放射することに用いられ、前記患者の治療待機区域は前記放射線治療部の外側に位置し、前記画像形成装置は前記放射線治療部に隣接するように設けられ、かつ前記患者の治療待機区域に画像形成ビームを放射することに用いられる。
【０００６】
本発明の実施例において、前記放射線治療部は第一放射線治療部と第二放射線治療部を含み、前記画像形成装置は前記第一放射線治療部と前記第二放射線治療部との間に位置する。
【０００７】
本発明の実施例において、前記放射線治療部は放射源を含み、前記放射源が放射する治療用放射線ビームは前記放射線治療部の外側に位置している交点に集束し、前記交点は前記画像形成装置の画像形成中央に重畳する。
【０００８】
本発明の実施例において、前記放射線治療装置は放射源回収部を更に含み、前記放射線治療部が作動しないとき、前記放射源を前記放射源回収部に送入して保存する。
【０００９】
本発明の実施例において、前記放射線治療部は、順番に配置される遮蔽体、放射源載置体およびコリメーターを含み、前記放射源は前記放射源載置体上に設けられ、前記放射源が放射する治療用放射線ビームは前記コリメーターを通過した後、交点に集束する。
【００１０】
本発明の実施例において、前記放射源載置体および／または前記コリメーターは所定の回転軸を回転軸として回転するか或いは予め設定の路線に沿って移動することができる。
【００１１】
本発明の実施例において、前記画像形成装置は前記放射源載置体または前記コリメーターの辺縁の端面に設けられる。
【００１２】
本発明の実施例において、前記放射線治療部の形状は茶碗のような形状または円筒状である。
【００１３】
本発明の実施例において、前記放射源は前記放射源載置体上に螺旋状態に均等に取り付けられるか或いは前記放射源載置体の円周方向に均等に取り付けられる。
【００１４】
本発明の実施例において、前記画像形成装置は第一沈下防止部を更に含み、前記第一沈下防止部は前記遮蔽体と前記放射源載置体との間に設けられる。
【００１５】
本発明の実施例において、前記画像形成装置は第二沈下防止部を更に含み、前記第二沈下防止部は前記放射源載置体と前記コリメーターとの間に設けられる。
【００１６】
本発明の実施例において、前記第一沈下防止部と前記第二沈下防止部はいずれもベアリングである。
【００１７】
本発明の実施例において、前記放射源は放射源装着部上に取り付けられ、前記放射源載置体は放射源装着部の装着孔を含み、前記放射源装着部は前記放射源装着部の装着孔内に取り付けられる。
【００１８】
本発明の実施例において、前記遮蔽体は放射源装着部の遮蔽孔と放射源装着部の遮蔽部を含み、前記放射源装着部の遮蔽孔のサイズは前記放射源装着部の装着孔のサイズより大きか或いは等しく、前記放射源装着部の遮蔽部は前記放射源装着部の遮蔽孔にマッチングする。
【００１９】
本発明の実施例において、前記画像形成装置は投射部と画像形成部を含み、前記投射部が放射する画像形成ビームのビーム中心軸は基準軸から所定の距離離れており、前記基準軸は前記画像形成中央を通過し、かつ前記画像形成部に垂直である軸である。
【００２０】
本発明の実施例において、前記画像形成装置は前記放射線治療部に隣接するように設けられる遮蔽部を含み、前記遮蔽部は交点を通過する治療用放射線ビームを遮蔽することに用いられる。
【００２１】
本発明の実施例において、前記遮蔽部の形状は中空形またはシート状である。
【００２２】
本発明の実施例において、前記画像形成装置は、Ｘ線装置、ＣＴ装置、ＭＲＩ装置、ＰＥＴ装置、超音波装置およびＤＡＳ装置等のうち少なくとも一種である。
【００２３】
本発明の実施例において、前記放射線治療装置は遮蔽ドアを更に含み、前記遮蔽ドアは前記放射線治療装置および／または前記放射線治療部が放射する治療用放射線ビームをオンまたはオフさせる。
【００２４】
本発明の実施例において、前記放射線治療装置は治療用ベッドを更に含み、前記治療用ベッドは前記画像形成装置の一側に取り付けられる。
【図面の簡単な説明】
【００２５】
以下、図面により本発明の実施例に係る技術的事項をより詳細に説明する。その図面は本発明の一部分になり、図面と実施例により本発明の技術的事項を説明することができるが、下記図面により本発明の技術的事項を限定する意図はない。
【００２６】
【図１】本発明の実施例に係る放射線治療装置を示す側面図である。
【図２】本発明の実施例に係る他の放射線治療装置を示す側面図である。
【図３】本発明の実施例に係る他の放射線治療装置を示す側面図である。
【図４】本発明の実施例に係る他の放射線治療装置を示す側面図である。
【図５】本発明の他の実施例に係る放射線治療装置を示す側面図である。
【図６】本発明の実施例に係る画像形成ビームの中心軸と基準軸を示す図である。
【図７】本発明の他の実施例に係る他の放射線治療装置を示す側面図である。
【図８】本発明の他の実施例に係る他の放射線治療装置を示す側面図である。
【図９】本発明の他の実施例に係る他の放射線治療装置を示す側面図である。
【発明を実施するための形態】
【００２７】
本発明の目的、技術的事項および発明の効果をより詳細に説明するため、以下、図面により本発明の実施例をより詳細に説明する。注意されたいことは、本発明の実施例を組み合わせても矛盾が生じない場合、本発明の実施例または実施例中の特徴を任意に組み合わせることができる。
【００２８】
本発明の実施例において、放射線治療装置により患者の腫瘤に対して放射線治療をする前、治療用ベッドの画像形成装置を治療位置まで移動させる必要があるので、治療用ベッドの位置を再び決めなければならない。それにより治療用ベッドの位置の精度が低下し、放射線治療の精度が低下するおそれがある。放射線治療装置中の画像形成装置と放射線治療モジュールが同時に作動することができないので、画像により患者、特に治療中の患者を随時案内することができない。
【００２９】
図１は本発明の実施例に係る放射線治療装置を示す側面図である。図１に示すとおり、放射線治療装置は放射線治療部１０と画像形成装置２０を含む。
【００３０】
放射線治療部１０は患者の治療待機区域Ｔに治療用放射線ビームを放射することに用いられ、患者の治療待機区域Ｔは放射線治療部１０の外側に位置する。画像形成装置２０は、放射線治療部１０に隣接するように設けられ、かつ患者の治療待機区域Ｔに画像形成ビームを放射することに用いられる。
【００３１】
本発明の実施例に係る放射線治療装置において、画像形成装置２０は患者の治療待機区域Ｔに画像形成ビームを放射することにより患者の治療待機区域Ｔの画像を獲得し、獲得した患者の治療待機区域Ｔの画像により治療方法を作成することができる。放射線治療部１０は同一の患者の治療待機区域Ｔに治療用放射線ビームを放射する。すなわち放射線治療部１０と画像形成装置２０は１つの投射目標すなわち治療待機区域Ｔにビームを放射するので、患者の治療待機区域Ｔの位置を移動させる必要がなく、放射線治療部１０は作成された治療方法により患者の治療待機区域Ｔに治療用放射線ビームを放射することにより放射線治療をすることができるので、放射線治療の効果を有効に向上させることができる。放射線治療をするとき、放射線治療装置中の画像形成装置２０と放射線治療部１０は同時に作動することができる（すなわち治療をしながら画像を形成することができる）ので、画像により患者の治療待機区域Ｔを随時案内し、治療待機区域Ｔと治療方法中の位置が常に重畳することを確保することができる。
【００３２】
放射線治療部１０は複数個であることができる。例えば、図２に示すとおり、放射線治療部１０は第一放射線治療部１０Ａと第二放射線治療部１０Ｂを含む。画像形成装置２０は第一放射線治療部１０Ａと第二放射線治療部１０Ｂとの間に位置する。第一放射線治療部１０Ａと第二放射線治療部１０Ｂは治療待機区域Ｔに治療用放射線ビームを同時に放射することにより放射線治療の効率を向上させることができる。
【００３３】
本発明の実施例において、放射線治療部１０は、強度変調放射線治療（Intensity  Modulated  Radiation  Therapy、ＩＭＲＴと略称）装置、サイバーナイフ（Cyber  knife）またはマルチソースマルチフォーカス（Multi  source  and  multi  focus）放射線治療装置等であることができる。画像形成装置２０は、Ｘ線装置、コーンビームＣＴ（Cone  Beam  CT、ＣＢＣＴ）装置、コンピュータトモグラフィ（Computed  Tomography、ＣＴ）装置、磁気共鳴イメージング（Magnetic  Resonance  Imaging、ＭＲＩ）装置、ポジトロン放出断層撮影（Positron  Emission  Computed  Tomography、ＰＥＴ）装置、超音波装置およびデジタル差引血管造影（Digital  Subtraction  Angiography、ＤＡＳ）装置等のうち少なくとも一種であることができる。
【００３４】
放射線治療部１０がマルチソースマルチフォーカス放射線治療装置であるとき、図３に示すとおり、放射線治療部１０は複数の放射源Ｓを含む。複数の放射源Ｓが放射する治療用放射線ビームは放射線治療部１０の外側に位置している交点Ｉに集束し、交点Ｉは画像形成装置２０の画像形成中央Ｒに重畳する。放射線治療部１０が２個である場合、第一放射線治療部１０Ａと第二放射線治療部１０Ｂはいずれも複数の放射源Ｓを含む。第一放射線治療部１０Ａと第二放射線治療部１０Ｂ中の複数の放射源Ｓが放射する治療用放射線ビームはいずれも交点Ｉに集束し、交点Ｉは画像形成装置２０の画像形成中央Ｒに重畳する。
【００３５】
注意されたいことは、患者の治療待機区域Ｔは１つまたは複数の治療待機ターゲットを含み、放射線治療をするたびに複数の治療用放射線ビームが集束される交点Ｉはいずれか１つの治療待機ターゲットに重畳する。
【００３６】
図４と図５に示すとおり、放射線治療部１０は、外内の順番に配置される遮蔽体１０１、放射源載置体１０２およびコリメーター（collimator）１０３を含む。遮蔽体１０１は放射線を遮蔽し、放射源載置体１０２には複数の放射源Ｓが取り付けられ、コリメーター１０３は複数の校正通路１０３１を具備している。複数の放射源Ｓと複数の校正通路１０３１は１つずつ対応する。放射線治療部１０はオン状態とオフ状態を具備している。
【００３７】
放射線治療部１０がオン状態になっているとき、コリメーター１０３の各校正通路１０３１はいずれも所定の放射源Ｓと整列状態になる。すなわち複数の放射源Ｓはオン状態になり、複数の放射源Ｓが放射する治療用放射線ビームは複数の校正通路１０３１を通過した後、交点Ｉに集束するので、患者のターゲットに対して治療をすることができる。
【００３８】
放射線治療部１０がオフ状態になっているとき、コリメーター１０３の各校正通路１０３１はいずれも所定の放射源Ｓとずれる状態になる。すなわち複数の放射源Ｓはオフ状態になり、複数の放射源Ｓが放射する治療用放射線ビームはコリメーター１０３に遮蔽されるので、放射線治療装置の治療が停止する。
【００３９】
放射線治療部１０のオン状態とオフ状態を切り替えるため、本発明の実施例において下記少なくとも３つの方法を採用することができる。
【００４０】
一つ目の方法において、図４に示すとおり、放射源載置体１０２および／またはコリメーター１０３が回転軸ＲＡを回転軸として回転することにより放射線治療部１０のオン状態とオフ状態を切り替えることができる。
【００４１】
本発明の実施例において、放射線治療部１０中の放射源載置体１０２は回転軸ＲＡを回転軸として回転せず、コリメーター１０３は回転軸ＲＡを回転軸として回転することができる。コリメーター１０３が回転することによりコリメーター１０３の各校正通路１０３１はいずれも所定の放射源Ｓと整列状態になるか或いはずれる状態になり、それにより放射線治療部１０のオン状態とオフ状態を切り替えることができる。逆に、放射源載置体１０２は回転軸ＲＡを回転軸として回転し、コリメーター１０３は回転軸ＲＡを回転軸として回転しないことにより放射線治療部１０のオン状態とオフ状態を切り替えることもできる。他の実施例において、放射源載置体１０２とコリメーター１０３は回転軸ＲＡを回転軸として異なる回転方向または異なる回転速度に回転することにより放射線治療部１０のオン状態とオフ状態を切り替えることもできる。
【００４２】
コリメーター１０３の各校正通路１０３１はいずれも所定の放射源Ｓと整列状態になり、放射源載置体１０２とコリメーター１０３が回転軸ＲＡを回転軸として一緒に回転するとき、放射源Ｓが放射する放射線（治療用放射線ビーム）はいろいろな角度にターゲット照射されるので、放射線がターゲットの周囲の正常な組織に長く照射されることを避けることができる。
【００４３】
二つ目の方法において、図５に示すとおり、放射源載置体１０２および／またはコリメーター１０３が予め設定の路線Ａに沿って移動することにより放射線治療部１０のオン状態とオフ状態を切り替えることができる。
【００４４】
本発明の実施例において、放射線治療部１０中の放射源載置体１０２は予め設定の路線Ａに沿って移動せず、コリメーター１０３は予め設定の路線Ａに沿って移動することができる。コリメーター１０３が移動することによりコリメーター１０３の各校正通路１０３１はいずれも所定の放射源Ｓと整列状態になるか或いはずれる状態になることができる。逆に、放射源載置体１０２は予め設定の路線Ａに沿って移動し、コリメーター１０３は予め設定の路線Ａに沿って移動しないことにより放射線治療部１０のオン状態とオフ状態を切り替えることもできる。他の実施例において、放射源載置体１０２とコリメーター１０３は予め設定の路線Ａに沿って異なる移動方向または異なる移動速度に移動することにより放射線治療部１０のオン状態とオフ状態を切り替えることもできる。
【００４５】
三つ目の方法において、図５に示すとおり、放射源載置体１０２および／またはコリメーター１０３が回転軸ＲＡを回転軸として回転することと、放射源載置体１０２および／またはコリメーター１０３が予め設定の路線Ａに沿って移動することにより放射線治療部１０のオン状態とオフ状態を切り替えることができる。注意されたいことは、三つ目の方法の実施方法として一つ目の方法の実施例と二つ目の方法の実施例を参照することができるので、ここで再び説明しない。
【００４６】
注意されたいことは、一つ目の方法の実施例において放射線治療部１０の形状が茶碗のような形状であることを例として説明してきたが、二つ目の方法と三つ目の方法の実施例において放射線治療部１０の形状は円筒形であることもできる。他の実施例において、放射線治療部１０は他の形状を有することもできるが、本発明は他の形状を具体的に限定しない。
【００４７】
本発明の実施例において、放射線治療部１０の遮蔽体１０１は通常、遮蔽可能な材料、例えば鉛、タングステン等で製造されるので、放射線治療部１０の重量が非常に重い。したがって、図４に示すとおり、放射線治療部１０は重力により回転軸ＲＡの垂直方向（図面の矢印方向）に沈下するおそれがある。そのため、遮蔽体１０１と放射源載置体１０２との間に第一沈下防止モジュール１０４１を設け、放射源載置体１０２とコリメーター１０３との間に第二沈下防止モジュール１０４２を設けることにより放射線治療部１０全体が沈下することを防止することができる。第一沈下防止モジュール１０４１と第二沈下防止モジュール１０４２は環状のベアリング、例えば回転型ベアリングであることができる。
【００４８】
本発明の実施例において、放射源の装着と代替を容易にするため、放射線治療部１０の形状が茶碗のような形状である実施例において、図４に示すとおり、放射源Ｓを放射源装着部Ｓ１上に取り付けることができる。その場合、放射源載置体１０２は放射源装着部の装着孔１０２１を含み、放射源装着部Ｓ１は放射源装着部の装着孔１０２１内に取り付けられる。遮蔽体１０１は放射源装着部の遮蔽孔１０１１と放射源装着部の遮蔽部１０１２を含み、放射源装着部の遮蔽孔１０１１のサイズは放射源装着部の装着孔１０２１のサイズより大きか或いは等しく、放射源装着部の遮蔽部１０１２は放射源装着部の遮蔽孔１０１１にマッチングすることにより放射源装着部の遮蔽部１０１２により放射源装着部の遮蔽孔１０１１を塞ぎ、放射源Ｓが放射する治療用放射線ビームを遮蔽することができる。
【００４９】
本発明の実施例において、放射源Ｓは放射源載置体１０２上に螺旋状態に均等に取り付けられることができる。放射源Ｓは複数組に分けられ、放射源Ｓはいずれも放射源載置体１０２の扇形面上に取り付けられ、かつ各組の放射源は回転軸ＲＡ方向に配置されることができる。他の実施例において、各組の放射源は放射源載置体１０２の環状の遮蔽部２０１の円周方向に均等に配置されることもできる。
【００５０】
注意されたいことは、任意の方法で放射源をオンさせるか或いはオフさせるとき、交点Ｉを通過する治療用放射線ビームは漏出するおそれがあるので、図４に示すとおり、画像形成装置２０は遮蔽部２０１を含む。遮蔽部２０１は放射線治療部２０に隣接すように設けられ、遮蔽部２０１は交点Ｉを通過する治療用放射線ビームを遮蔽する。放射源Ｓが放射する治療用放射線ビームは交点Ｉを通過した後、遮蔽部２０１に遮蔽されることにより、治療をするとき放射線が漏出することを有効に防止することができる。
【００５１】
遮蔽部２０１の形状は中空形、例えば環状の中空形であることができる。遮蔽部２０１の形状はシート状、例えばＣ形であることもできる。遮蔽部２０１がシート状であるとき、放射源Ｓが回転することにより遮蔽部２０１が回転することにより放射源Ｓが放射する放射線（治療用放射線ビーム）を遮蔽する。遮蔽部２０１の厚さ、中空形の中央開口のサイズとシート状のサイズは交点Ｉを通過する治療用放射線ビームの方向と強度により決められることができる。
【００５２】
画像形成装置２０は投射部２０２と画像形成部２０３を含む。本発明の実施例において、図４に示すとおり、投射部２０２は画像形成部２０３と対向するように放射源載置体１０２またはコリメーター１０３の辺縁の端面に設けられ、投射部２０２と画像形成部２０３は放射源載置体１０２またはコリメーター１０３が回転軸ＲＡを回転軸として回転することにより回転する。本発明の他の実施例において、図５に示すとおり、画像形成装置２０中の投射部２０２は画像形成部２０３と対向するように遮蔽部２０１内の回転環状部２０４上に設けられ、投射部２０２と画像形成部２０３は回転軸ＲＡを回転軸として回転することができる。他の実施例において、画像形成装置２０中の投射部２０２と画像形成部２０３は少なくとも二組である。画像形成装置２０中の投射部２０２と画像形成部２０３が二組であるとき、二組の投射部２０２は画像形成部２０３とそれぞれ対向するように遮蔽部２０１内に設けられ、かつ二組の投射部２０２と画像形成部２０３との間には予め設定の夾角が形成される。予め設定の夾角は例えば９０度であることができる。
【００５３】
画像のサイズを増加させるため、図６に示すとおり、投射部２０２が放射する画像形成ビームのビーム中心軸Ｌ１は基準軸Ｌ２から所定の距離離れている。基準軸Ｌ２は画像形成中央Ｒを通過し、かつ画像形成部２０３に垂直である軸である。画像形成装置２０（例えば投射部２０２と画像形成部２０３）が、放射線治療部１０が回転することにより回転する場合、画像形成ビームより一層大きい画像を形成することができる。
【００５４】
図７に示すとおり、放射線治療装置は遮蔽ドア５０を更に含む。遮蔽ドア５０は放射線治療装置および／または放射線治療部１０が放射する治療用放射線ビームをオンまたはオフさせることができる。注意されたいことは、図７において、放射線治療部１０が図３に示すとおりに茶碗のような形状を有していることを例として説明する。遮蔽ドア５０は治療用放射線ビームの出口および／または画像形成装置２０の内部および／または画像形成装置２０の外部に設けられることができる。放射線治療装置が作動しないとき、放射源Ｓが放射した放射線ビームがコリメーター１０３に完全に遮蔽されない場合、遮蔽ドア５０はコリメーター１０３に完全に遮蔽されない放射線ビームを遮蔽することができる。放射源Ｓが放射した放射線ビームがコリメーター１０３に完全に遮蔽される場合、遮蔽ドア５０は放射線治療装置の治療室をオンまたはオフさせることができる。遮蔽ドア５０はコリメーター１０３に完全に遮蔽されない放射線ビームを遮蔽するとともに放射線治療装置の治療室をオンまたはオフさせることもできる。
【００５５】
本発明の実施例において、実施例の放射線治療部１０が半遮蔽状態に設けられ、放射線治療部１０を使用しないとき、放射線Ｓが漏出することを防止するため、図８に示すとおり、放射線治療装置は放射源回収部３０を更に含むことができる。放射線治療部１０が作動しないとき、放射源Ｓを放射源回収部３０に送入して保存することができる。
【００５６】
本発明の実施例において、図９に示すとおり、放射線治療装置は治療用ベッド４０を更に含むことができる。治療用ベッド４０は画像形成装置２０の一側に取り付けられ、治療用ベッド４０は三次元ベッドまたは六次元ベッドであることができる。
【００５７】
以上のとおり、本発明の実施例に係る放射線治療装置において、画像形成装置は患者の治療待機区域に画像形成ビームを放射することにより患者の治療待機区域の画像を獲得し、獲得した患者の治療待機区域の画像により治療方法を作成する。放射線治療部は同一の患者の治療待機区域に治療用放射線ビームを放射する。すなわち放射線治療部と画像形成装置は１つの投射目標すなわち治療待機区域にビームを放射するので、患者の治療待機区域の位置を移動させる必要がなく、放射線治療部は作成された治療方法により患者の治療待機区域に治療用放射線ビームを放射することにより放射線治療をし、放射線治療の効果を有効に向上させることができる。放射線治療をするとき、放射線治療装置中の画像形成装置と放射線治療部は同時に作動することができる（すなわち治療をしながら画像を形成することができる）ので、画像により患者の治療待機区域を随時案内し、治療待機区域と治療方法中の位置が常に重畳することを確保することができる。
【００５８】
以上、本発明の好適な実施例を詳述してきたが、実施例は本発明の例示にしか過ぎないものであるため、本発明は実施例の構成にのみ限定されるものでなく、本発明の要旨を逸脱しない範囲内において設計の変更、代替、改良等をすることができ、それらがあっても本発明に含まれることは勿論である。
【００５９】
（付記）
（付記１）
放射線治療部と画像形成装置を含み、前記放射線治療部は患者の治療待機区域に治療用放射線ビームを放射することに用いられ、前記患者の治療待機区域は前記放射線治療部の外側に位置し、前記画像形成装置は前記放射線治療部に隣接するように設けられ、かつ前記患者の治療待機区域に画像形成ビームを放射することに用いられる、放射線治療装置。
【００６０】
（付記２）
前記放射線治療部は第一放射線治療部と第二放射線治療部を含み、前記画像形成装置は前記第一放射線治療部と前記第二放射線治療部との間に位置する、付記１に記載の放射線治療装置。
【００６１】
（付記３）
前記放射線治療部は放射源を含み、前記放射源が放射する治療用放射線ビームは前記放射線治療部の外側に位置している交点に集束し、前記交点は前記画像形成装置の画像形成中央に重畳する、付記１に記載の放射線治療装置。
【００６２】
（付記４）
前記放射線治療装置は放射源回収部を更に含み、前記放射線治療部が作動しないとき、前記放射源を前記放射源回収部に送入して保存する、付記３に記載の放射線治療装置。
【００６３】
（付記５）
前記放射線治療部は、順番に配置される遮蔽体、放射源載置体およびコリメーターを含み、前記放射源は前記放射源載置体上に設けられ、前記放射源が放射する治療用放射線ビームは前記コリメーターを通過した後、交点に集束する、付記３に記載の放射線治療装置。
【００６４】
（付記６）
前記放射源載置体および／または前記コリメーターは所定の回転軸を回転軸として回転するか或いは予め設定の路線に沿って移動することができる、付記５に記載の放射線治療装置。
【００６５】
（付記７）
前記画像形成装置は前記放射源載置体または前記コリメーターの辺縁の端面に設けられる、付記６に記載の放射線治療装置。
【００６６】
（付記８）
前記放射線治療部の形状は茶碗のような形状または円筒状である、付記５に記載の放射線治療装置。
【００６７】
（付記９）
前記放射源は前記放射源載置体上に螺旋状態に均等に取り付けられるか或いは前記放射源載置体の円周方向に均等に取り付けられる、付記５に記載の放射線治療装置。
【００６８】
（付記１０）
前記画像形成装置は第一沈下防止部を更に含み、前記第一沈下防止部は前記遮蔽体と前記放射源載置体との間に設けられる、付記５に記載の放射線治療装置。
【００６９】
（付記１１）
前記画像形成装置は第二沈下防止部を更に含み、前記第二沈下防止部は前記放射源載置体と前記コリメーターとの間に設けられる、付記１０に記載の放射線治療装置。
【００７０】
（付記１２）
前記第一沈下防止部と前記第二沈下防止部はいずれもベアリングである、付記１１に記載の放射線治療装置。
【００７１】
（付記１３）
前記放射源は放射源装着部上に取り付けられ、前記放射源載置体は放射源装着部の装着孔を含み、前記放射源装着部は前記放射源装着部の装着孔内に取り付けられる、付記５に記載の放射線治療装置。
【００７２】
（付記１４）
前記遮蔽体は放射源装着部の遮蔽孔と放射源装着部の遮蔽部を含み、前記放射源装着部の遮蔽孔のサイズは前記放射源装着部の装着孔のサイズより大きか或いは等しく、前記放射源装着部の遮蔽部は前記放射源装着部の遮蔽孔にマッチングする、付記１３に記載の放射線治療装置。
【００７３】
（付記１５）
前記画像形成装置は投射部と画像形成部を含み、前記投射部が放射する画像形成ビームのビーム中心軸は基準軸から所定の距離離れており、前記基準軸は前記画像形成中央を通過し、かつ前記画像形成部に垂直である軸である、付記３に記載の放射線治療装置。
【００７４】
（付記１６）
前記画像形成装置は前記放射線治療部に隣接するように設けられる遮蔽部を含み、前記遮蔽部は交点を通過する治療用放射線ビームを遮蔽することに用いられる、付記３に記載の放射線治療装置。
【００７５】
（付記１７）
前記遮蔽部の形状は中空形またはシート状である、付記１６に記載の放射線治療装置。
【００７６】
（付記１８）
前記画像形成装置は、Ｘ線装置、ＣＴ装置、ＭＲＩ装置、ＰＥＴ装置、超音波装置およびＤＡＳ装置等のうち少なくとも一種である、付記１に記載の放射線治療装置。
【００７７】
（付記１９）
前記放射線治療装置は遮蔽ドアを更に含み、前記遮蔽ドアは前記放射線治療装置および／または前記放射線治療部が放射する治療用放射線ビームをオンまたはオフさせる、付記１に記載の放射線治療装置。
【００７８】
（付記２０）
前記放射線治療装置は治療用ベッドを更に含み、前記治療用ベッドは前記画像形成装置の一側に取り付けられる、付記１に記載の放射線治療装置。
【図１】
2021533970.tif 000003
【図２】
2021533970.tif 000004
【図３】
2021533970.tif 000005
【図４】
2021533970.tif 000006
【図５】
2021533970.tif 000007
【図６】
2021533970.tif 000008
【図７】
2021533970.tif 000009
【図８】
2021533970.tif 000010
【図９】
2021533970.tif 000011
【手続補正書】
【提出日】令和3年3月9日(2021.3.9)
【手続補正１】
【補正対象書類名】明細書
【補正対象項目名】００５０
【補正方法】変更
【補正の内容】
【００５０】
注意されたいことは、任意の方法で放射源をオンさせるか或いはオフさせるとき、交点Ｉを通過する治療用放射線ビームは漏出するおそれがあるので、図４に示すとおり、画像形成装置２０は遮蔽部２０１を含む。遮蔽部２０１は放射線治療部１０に隣接するように設けられ、遮蔽部２０１は交点Ｉを通過する治療用放射線ビームを遮蔽する。放射源Ｓが放射する治療用放射線ビームは交点Ｉを通過した後、遮蔽部２０１に遮蔽されることにより、治療をするとき放射線が漏出することを有効に防止することができる。
【国際調査報告】
2021533970.tif 000012
2021533970.tif 000013
2021533970.tif 000014
2021533970.tif 000015
2021533970.tif 000016